(57)【要約】      （修正有）【課題】単芯のリング網で、復旧機能を有する上下向同一波長のリング型ＷＤＭ  ＰＯＮシステムを低コストで実現する。【解決手段】電気信号を光信号に変換出力し、その出力光信号と同一波長の光信号を受信して電気信号に変換するメディア変換器ＧＥＮＥＲＡＬ  ＭＣと、メディア変換器各々から発生されたお互い異なる波長の光信号を多重化して外部に出力し、その外部から入力される多重化信号を逆多重化する多重化/逆多重化器１００とを含む中央基地局と、多重化信号をお互い異なる光通信線路に分岐伝送し、光通信線路の中のいずれか一つの線路から伝送される光信号を多重化/逆多重化器に伝送する光カップラーと、の光通信線路が両方向光分岐/結合器１２０を介してリング網を形成し、両方向光分岐/結合器各々には回線切替状態を検出して時計回りあるいは反時計回り方向にだけ光信号を伝送するメディア変換器が結合された地域基地局を含むことを特徴とする。【選択図】  図２
2005057722.tif 000002
【特許請求の範囲】
【請求項１】
上下向同一波長を使用するリングタイプのＷＤＭ  ＰＯＮシステムにおいて、
電気的な信号を光信号に変換出力し、その出力光信号と同一波長の光信号を受信して電気的な信号に変換出力する一対の送受信部を含むメディア変換器たちと、前記メディア変換器各々から発生されたお互い異なる波長の光信号たちを多重化して外部に出力し、その外部から入力される多重化信号を逆多重化して前記変換器たちに出力する多重化/逆多重化器とを含む中央基地局と；
前記多重化/逆多重化器から出力される多重化信号をお互い異なる光通信線路に分岐伝送し、前記光通信線路の中のいずれか一つの線路から伝送される光信号を前記多重化/逆多重化器に伝送する光カップラーと；
前記のお互い異なる光通信線路が両方向光分岐/結合器たちを介してリング型分配網を形成し、前記両方向光分岐/結合器各々には回線切替状態を検出して時計回りあるいは反時計回り方向にだけ光信号を伝送するリダンダンシーメディア変換器が結合された地域基地局たちと；を含むことを特徴とする上下向同一波長を使用するリングタイプのＷＤＭ  ＰＯＮシステム。
【請求項２】
前記リング型分配網を形成する光通信線路に結合される一つ以上の３ポート光分岐/結合器を含む地域基地局たち；をさらに含むことを特徴とする特許請求の範囲第１項に記載の上下向同一波長を使用するリングタイプのＷＤＭ  ＰＯＮシステム。
【請求項３】
前記両方向光分岐/結合器各々は、単芯両方向リングを形成する両側の第１および第２光通信線路の間でお互い反対方向の信号の流れを有するのだが、
前記第１光通信線路から入力される信号の中、特定帯域の波長信号だけを前記リダンダンシーメディア変換器のマスターチャンネルにドロップさせ、そのドロップされた信号と同一波長の信号を前記マスターチャンネルから伝送してもらって前記第１光通信線路に反射させる第１ＷＤＭ薄膜フィルターと；
前記第２光通信線路から入力される信号の中、前記特定帯域の波長信号だけを前記リダンダンシーメディア変換器のスレイブチャンネルにドロップさせ、そのドロップされた信号と同一波長の信号を前記スレイブチャンネルから伝送してもらって前記第２光通信線路に反射させる第２ＷＤＭ薄膜フィルターと；を含むことを特徴とする特許請求の範囲第１項または第２項に記載の上下向同一波長を使用するリングタイプのＷＤＭ  ＰＯＮシステム。
【請求項４】
前記リダンダンシーメディア変換器は；
前記マスターチャンネルとスレイブチャンネル各々に連結される第１および第２光カップラーと；
前記第１および第２光カップラー各々と連結され、電気的な信号を光信号に変換して前記第１変換器用光カップラーに伝送し、連結された光カップラーを介して伝送される光信号を電気的な信号に変換して加入者装置に出力するマスターおよびスレイブ送受信部と；
前記マスターとスレイブ送受信部の状態および回線切替状態を検出して前記マスターおよびスレイブ送受信部の中のいずれか一つの送受信だけを活性化させる制御部と；
前記マスターとスレイブ送受信部各々に連結されて加入者装置とのデーターインターフェーシングを遂行するインターフェース部と；を含むことを特徴とする特許請求の範囲第３項に記載の上下向同一波長を使用するリングタイプのＷＤＭ  ＰＯＮシステム。
【請求項５】
前記制御部は；
現在活性化されているチャンネルの送信部をディスエーブルさせ、受信部のリンクオン状態の可否を検出して、回線切替可否を判断することを特徴とする特許請求の範囲第４項に記載の上下向同一波長を使用するリングタイプのＷＤＭ  ＰＯＮシステム。
【請求項６】
上下向同一波長を使用するＷＤＭ  ＰＯＮシステムに使用可能な切替型メディア変換器において、
加入者装置から伝送される電気的な信号を光信号に変換してマスターチャンネルの光カップラーに伝送し、前記マスターチャンネルの光カップラーを介して伝送される光信号を電気的な信号に変換して加入者装置に出力するマスター送受信部と；
加入者装置から伝送される電気的な信号を光信号に変換してスレイブチャンネルの光カップラーに伝送し、前記スレイブチャンネルの光カップラーを介して伝送される光信号を電気的な信号に変換して加入者装置に出力するスレイブ送受信部と；
前記マスターとスレイブ送受信部の状態および回線の切替状態を検出し、いずれか一つの送受信部だけを活性化させる制御部と；
前記マスターとスレイブ送受信部各々に連結されて加入者装置とのデーターインターフェーシングを遂行するインターフェース部と；を含むことを特徴とする切替型メディア変換器。
【請求項７】
前記スレイブ送受信部と連結されるインターフェース部の後端にデーターバッファリングのためのバッファ；をさらに含むことを特徴とする特許請求の範囲第６項に記載の切替型メディア変換器。
【請求項８】
前記制御部は；
現在活性化されているチャンネルの送信部をディスエーブルさせ、受信部のリンクオン状態の可否を検出して、回線切替可否を判断することを特徴とする特許請求の範囲第６項または第７項に記載の切替型メディア変換器。
【発明の詳細な説明】
【技術分野】
【０００１】
本発明は、波長分割多重（Wavelength Division Multiplexing:ＷＤＭ）方式の手動型光加入者網（Passive Optical Network:ＰＯＮ）システムに関するもので、特に低価のリダンダンシー（redundancy）機能を有する上下向同一波長のリング型ＷＤＭ  ＰＯＮシステムとそのシステムに採用可能な切替型メディア変換器に関するものである。
【背景技術】
【０００２】
波長分割多重化方式（ＷＤＭ）は、中央基地局（Central Office:ＣＯ）で各加入者にお互い異なる波長を割り当て、同時にデーターを伝送する方式で、各加入者は、割り当てられた波長を利用して常にデーターを送/受信できる。この方式は、各加入者に大容量のデーターを伝送することができるだけでなく、通信の保安性が優れ、また性能向上が容易であるという長所を有する。
【０００３】
一方、ＰＯＮ（Passive Optical Network）とは、光加入者網構築方式の一つで、光ケーブルに手動光分配素子を使用して一つのＯＬＴ（Optical Line Termination）が複数のＯＮＵ（Optical Network Unit）を接続することができるようにする方式である。このようなＰＯＮは、ＣＯから地域基地局（Remote Node:ＲＮ）までは一つの光繊維で伝送されてきて、ＲＮにある手動光分配素子で分けられ各加入者まで光繊維で伝送される。つまり、ＰＯＮは、ＣＯから加入者たちの隣接地域に設置されたＲＮまでは単一光繊維で連結され、ＲＮから各加入者までは独立された光繊維で連結される構造なので、ＣＯから加入者まで１対１で光ケーブルを布設する場合に比べ、相対的にケーブル費用を節減することができる。
【０００４】
一方、光ネットワークの設計で選択された物理的なトポロジーは、リング型、バス型、スター型など、その応用によって選択、適用されている。物理的トポロジーと対照的な概念は論理的トポロジーであり、ネットワーク構成員間の物理的連結がどのような状態であるか、論理的連結状態がどうなっているかによって、リング型、バス型、スター型などに分けられる。この中、リング網は自然災害や事故によるシステム切替においても復旧（self-healing）を遂行することができるので、基幹網で長い間その信頼度が認められている。
【０００５】
初期のＷＤＭリング構造は単方向（unidirectional）構造で、両方向構造を具現するためには、最低２芯のファイバーが要求される。最近の研究で単芯両方向リングネットワーク（single-fiber bi-directional ring network）に対する研究があるが、これらは新しいタイプの素子（Bidirectional Add-Drop Module:Ｂ−ＡＤＭ）を利用して具現した（例えば、C.H.Kim et all, "Bidirectional WDM Self-Healing Ring Network based on Simple Bidirectional Add/Drop Amplifier Modules", 及び Y.Zhao et al, "A Novel Bidirectional Add-Drop Module for Single Fiber Bidirectional Self-Healing Wavelength Division Multiplexed Ring Networks"参照）。
【０００６】
既存の復旧システムの場合は２芯リング構造を使用するため、ファイバー切替によるシステム切替が発生すると、能動素子を利用して切り替えられた部分の両端ノードで経路を復旧用ファイバーにバイパスさせることによって、切替によるシステムを復旧させることができる。このような復旧システムは、２芯のリング構造によってファイバー布設費用が増加するという問題点がある。
【０００７】
並びに、前記Ｂ−ＡＤＭを利用した単芯両方向リングネットワークは、その構造が複雑で具現価格が高価であり、複雑で新しいタイプの光素子を要求するという問題点がある。
【０００８】
一方、イサーネットを利用したシステムは、低価具現が可能であり、既存のインターネットトラフィックとの互換で、ネットワーク構造の大半を蚕食しているが、災害やネットワーク不能状態による復旧機能の未備で、基幹網やバックボーンの方にはまだ信頼度が検証されていないので、イサーネットを採用することができないという問題点がある。
【０００９】
このような問題を解決するための技術として、大韓民国特許庁に先出願された特許出願番号２００２−７６１９１号の“リング型ＷＤＭ  ＰＯＮシステム”がある。例示した“リング型ＷＤＭ  ＰＯＮシステム”は、図１に図示されているように、正常状態用信号を多重化/逆多重化する第１多重化/逆多重化器ＭＵＸ１と、復旧用信号を多重化/逆多重化する第２多重化/逆多重化器ＭＵＸ２を具備する中央基地局ＣＯを含む。前記各々の多重化/逆多重化器はＮ個のお互い異なる複数個の波長を有する光信号を生成した後、これを多重化して単一光繊維を介して地域基地局に伝送したり、地域基地局ＲＮから多重化されて受信される信号を逆多重化する役割を遂行する。
【００１０】
図１に図示されているように、中央基地局ＣＯは、一般的なリダンダンシー（redundancy）を具現するために、各波長に対して二つの送受信部Ｔｘ，Ｒｘを具備する。正常状態のための送受信部Ｔｘ１，Ｒｘ１は、一つの多重化/逆多重化器ＭＵＸ１に連結されており、リダンダンシーのためのもう一つの送受信部Ｔｘ２，Ｒｘ２は、もう一つの多重化/逆多重化器ＭＵＸ２に連結されている構造を有する。
【００１１】
前述されているように、従来のリング型ＷＤＭ  ＰＯＮシステムでは、ファイバー切替や特定チャンネルのＬＤ（Ｔｘに該当）、ＰＤ（Ｒｘに該当）の故障に備えたリダンダンシーとして、各波長に対して二つの送受信Ｔｘ，Ｒｘモジュールとリダンダンシー用ＭＵＸを具備しなければならないので、中央基地局ＣＯの構造が複雑になるという短所を有することになる。従って、このような問題点を解決するためのシステムの開発が必要である。
【００１２】
並びに、リング型ネットワーク構造で、すべてのノードをリダンダンシーに構成しようとすると、費用および機能面で非経済的な現象を招き得るため、これを考慮したシステムの開発が必要であり、リダンダンシー機能を遂行するノードが回線の切替を検出する場合も、下位レベルで迅速に検出することのできる装置の開発が必要である。
【発明の開示】
【発明が解決しようとする課題】
【００１３】
そこで、本発明の目的は、リング型ＷＤＭ  ＰＯＮシステムのリダンダンシーを保証しながらも、中央基地局の構造を単純化させることのできる、単芯両方向リング構造を有する上下向同一波長のリング型ＷＤＭ  ＰＯＮシステムを提供することにあり、
本発明のまた別の目的は、各ノードの重要度を考慮して、一部ノードにだけリダンダンシーを与え、全体的な網構成費用を最小化させることのできる、上下向同一波長のリング型ＷＤＭ  ＰＯＮシステムを提供することにある。
【００１４】
さらに、本発明は、リダンダンシー機能の与えられた各ノードで回線の切替を下位レベルで迅速に検出することのできる切替型メディアコンバーターと、そのコンバーターを含む上下向同一波長のリング型ＷＤＭ  ＰＯＮシステムを提供することにある。
【課題を解決するための手段】
【００１５】
前記の目的を達成するための本発明の一実施例による上下向同一波長を使用するリングタイプのＷＤＭ  ＰＯＮシステムは、
電気的な信号を光信号に変換出力し、その出力光信号と同一波長の光信号を受信して電気的な信号に変換出力する一対の送受信部を含むメディア変換器たちと、前記メディア変換器各々から発生されたお互い異なる波長の光信号たちを多重化して外部に出力し、その外部から入力される多重化信号を逆多重化して前記変換器たちに出力する多重化/逆多重化器とを含む中央基地局と；
前記多重化/逆多重化器から出力される多重化信号をお互い異なる光通信線路に分岐伝送し、前記光通信線路の中のいずれか一つの線路から伝送される光信号を前記多重化/逆多重化器に伝送する光カップラーと；
前記のお互い異なる光通信線路が両方向光分岐/結合器たちを介してリング型分配網を形成し、前記両方向光分岐/結合器各々には回線切替状態を検出して時計回りあるいは反時計回り方向にだけ光信号を伝送するリダンダンシーメディア変換器が結合された地域基地局たちと；を含むことを特徴とする。
【００１６】
さらに、本発明は、前記リング型分配網を形成する光通信線路に結合される一つ以上の３ポート光分岐/結合器を含む地域基地局たちをさらに含むこともできる。
【００１７】
前記両方向光分岐/結合器各々は、前記リングを形成する両側の第１および第２光通信線路の間でお互い反対方向の信号の流れを有するのだが、
前記第１光通信線路から入力される信号の中、特定帯域の波長信号だけを前記リダンダンシーメディア変換器のマスターチャンネルにドロップさせ、そのドロップされた信号と同一波長の信号を前記マスターチャンネルから伝送してもらって前記第１光通信線路に反射させる第１ＷＤＭ薄膜フィルターと；
前記第２光通信線路から入力される信号の中、前記特定帯域の波長信号だけを前記リダンダンシーメディア変換器のスレイブチャンネルにドロップさせ、そのドロップされた信号と同一波長の信号を前記スレイブチャンネルから伝送してもらって前記第２光通信線路に反射させる第２ＷＤＭ薄膜フィルターと；を含むことを特徴とする。
【００１８】
一方、本発明の実施例による切替型メディア変換器は、
加入者装置から伝送される電気的な信号を光信号に変換してマスターチャンネルの光カップラーに伝送し、前記マスターチャンネルの光カップラーを介して伝送される光信号を電気的な信号に変換して加入者装置に出力するマスター送受信部と；
加入者装置から伝送される電気的な信号を光信号に変換してスレイブチャンネルの光カップラーに伝送し、前記スレイブチャンネルの光カップラーを介して伝送される光信号を電気的な信号に変換して加入者装置に出力するスレイブ送受信部と；
前記マスターとスレイブ送受信部の状態および回線の切替状態を検出して、いずれか一つの送受信部だけを活性化させる制御部と；
前記マスターとスレイブ送受信部各々に連結されて加入者装置とのデーターインターフェーシングを遂行するインターフェース部と；を含んで、上下向同一波長を使用するリングタイプのＷＤＭ  ＰＯＮシステムに使用されることを特徴とする。
【発明の効果】
【００１９】
上述のように、本発明は、各ノードにリダンダンシー機能を与えるため、相対的にリング型ＷＤＭ  ＰＯＮシステムの中央基地局構造を単純化させることができ、それだけ中央基地局のシステム構築費用を節減させることができる長所がある。
【００２０】
また、本発明は、各ノードの重要度を考慮して一部ノードにだけリダンダンシーを与えることができるため、全体的な網構成費用を最小化させることができるという利点もある。
【００２１】
さらに、本発明は、リダンダンシー機能の与えられたメディア変換器を介して各ノードで回線切替を下位レベルで迅速に検出することができる利点もある。
【００２２】
一方、本発明は、図面に図示された実施例たちを参考に説明されたが、これは例示的なものに過ぎず、当該技術分野で通常の知識を有した者なら、これより多様な変形および均等な他実施例が可能であるという点が理解できるであろう。従って、本発明の真なる技術的保護範囲は、添付の特許請求の範囲によってのみ定められるべきである。
【発明を実施するための最良の形態】
【００２３】
以下、本発明の好ましい実施例を添付の図面を参照に詳細に説明することにする。本発明を説明するにおいて、係る公知機能あるいは構成に対する具体的な説明が本発明の要旨を不要に不明にすると判断される場合、それに対する詳細な説明は省略するものとする。
【００２４】
まず、図２は、本発明の実施例による上下向同一波長のリング型ＷＤＭ  ＰＯＮシステムの構成図を図示したもので、図３は、図２の中４ポート光分岐/結合器１２０の構成図を、図４は、図２の中リダンダンシーのための切替型メディア変換器１３０の詳細構成図を各々図示したものである。
【００２５】
図２を参照すると、本発明の実施例によるリングタイプのＷＤＭ  ＰＯＮシステムは、中央基地局ＣＯと、光通信線路を介して前記中央基地局ＣＯと連結される両方向光分岐/結合器１２０およびリダンダンシーメディア変換器たち１３０とを含む。
【００２６】
中央基地局ＣＯは、電気的な信号を光信号に変換出力し、その出力光信号と同一波長の光信号を受信して電気的な信号に変換出力する一対の送受信部ＴＸ，ＲＸを含むメディア変換器たち（GENERAL MC）と、前記メディア変換器（GENERAL MC）各々から発生されたお互い異なる波長の光信号たちを多重化して外部に出力し、その外部から入力される多重化信号を逆多重化して前記変換器たち（GENERAL MC）に出力する多重化/逆多重化器（WDM MUX/DEMUX:１００）とを含む。このような中央基地局ＣＯのメディア変換器たち（GENERAL MC）と多重化/逆多重化器１００の間には３ｄＢ光カップラーが結合されている。この光カップラーは、多重化/逆多重化器１００で逆多重化された光信号をメディア変換器（GENERAL MC）の送信部ＴＸと受信部ＲＸに分配するスプリッターの役割も遂行する。
【００２７】
一方、前記中央基地局ＣＯの信号出力端（信号入力端でもある）には３ｄＢ光スプリッター１１０が結合されている。前記光スプリッター１１０は、前記多重化/逆多重化器１００から出力される多重化信号をお互い異なる光通信線路（fiber）に分岐伝送し、前記光通信線路の中のいずれか一つの線路から伝送される光信号を前記多重化/逆多重化器１００に伝送する役割を遂行する。
【００２８】
このように、光カップラー１１０を介して中央基地局ＣＯの出力を両経路に分配伝送する理由は、回線切替あるいは特定チャンネルの送信部ＬＤ，受信部ＰＤの故障に備えて余分のチャンネルを確保するためである。
【００２９】
前記の光カップラー１１０と連結されたお互い異なる方向の光通信線路は、図２に図示されているようにリング型分配網を形成する。このようなリング型分配網の所定の位置には、両方向に信号が正常的に流れることができるように支援し、各加入者に該当する波長の光信号が分岐され得るようにする両方向光分岐/結合器１２０が設置される。
【００３０】
両方向光分岐/結合器１２０は、リングを形成する両側の第１および第２光通信線路の間でお互い反対方向の信号の流れを有するが、図３に図示されているように、第１光通信線路（Com IN Port）から入力される信号の中、特定帯域の波長（λm）信号だけを後述するリダンダンシーメディア変換器１３０のマスターチャンネルにドロップさせ、そのドロップさせた信号と同一波長の信号を前記マスターチャンネルから伝送してもらって前記第１光通信線路に反射させる第１ＷＤＭ薄膜フィルターと；もう一つの入力ポート（Com out Port）に連結された第２光通信線路から入力される信号の中、前記特定帯域の波長（λm）信号だけを後述するリダンダンシーメディア変換器１３０のスレイブチャンネルにドロップさせ、そのドロップされた信号と同一波長の信号を前記スレイブチャンネルから伝送してもらって前記第２光通信線路に反射させる第２ＷＤＭ薄膜フィルターと；を含む。
【００３１】
このような両方向光分岐/結合器１２０によって地域基地局ＲＮは加入者装置から伝送された光信号をリングタイプの分配網で時計回りあるいは反時計回り方向に伝送することができるのである。
【００３２】
一方、前記両方向光分岐/結合器１２０各々には、回線切替状態を検出して時計回りあるいは反時計回り方向にだけ光信号を伝送するリダンダンシーメディア変換器１３０が結合される。このようなリダンダンシーメディア変換器１３０は直接、あるいはインターネット網を介して加入者装置と連結されることができる。
【００３３】
図４を参照に、リダンダンシーメディア変換器１３０についてより具体的に説明すると、前記リダンダンシーメディア変換器１３０は、大きくマスターチャンネルの送受信部と、スレイブチャンネルの送受信部およびＣＰＵ１３６，そしてインターフェース部の役割をするＰＨＹチップ１３５，１４５とを含む。
【００３４】
マスターチャンネルとスレイブチャンネルの各々には３ｄＢの光カップラーが連結されている。このような光カップラーは、メディア変換器１３０内に含まれることもあり、外部に位置することもある。前記マスターチャンネルは、図３に図示された両方向光分岐/結合器１２０のドロップポート｛上向き信号の時はアド（add）ポートになる｝と連結されるものと仮定することができ、スレイブチャンネルは、図３に図示した両方向光分岐/結合器１２０のアド（Add）ポートと連結されるものと仮定することができる。このような仮定によると、ドロップポートとマスターチャンネルを介して伝送される光信号は、光カップラーによりマスターチャンネルの送信部であるＬＤ１３１と受信部であるＰＤ１３３に分岐され、マスターチャンネルの送信部であるＬＤ１３１から発生された光信号は、光カップラーとドロップポートを介して中央基地局ＣＯに伝送される。
【００３５】
マスターチャンネルの送受信部とスレイブチャンネルの送受信部は、各々送受信部として光源であるＬＤ１３１，１４３と、それを駆動させるためのＬＤ駆動部１３２，１４４および受信部としてＰＤ１３３，１４１とＰＤ駆動部１３４，１４２とを含む。このようなマスター/スレイブ送受信部は、各々電気的な信号を光信号に変換して連結された光カップラーに伝送し、その連結された光カップラーを介して伝送される光信号を電気的な信号に変換して後述するインターフェース部１３５，１４５を介して加入者装置に出力する。
【００３６】
一方、ＣＰＵ１３６は、メディア変換器１３０の全般的な動作を制御する。例えば、ＣＰＵ１３６は、内部メモリーに貯蔵された制御プログラムデーターに基づき前記マスターとスレイブ送受信部の状態および回線切替状態を検出し、マスターおよびスレイブ送受信部の中のいずれか一つの送受信だけを活性化させる役割を遂行する。これに対しては図５で詳細に説明することにする。
【００３７】
最後に、本発明の実施例によるメディア変換器１３０は、前記マスターとスレイブ送受信部各々に連結されて、加入者装置とのデーターインターフェーシングを遂行するインターフェース部１３５，１４５をさらに含む。このようなインターフェース部１３５，１４５としてＰＨＹチップを使用することができる。参考的に、スレイブ送受信部と連結されるインターフェース部１４５の後端にはデーターバッファリングのためのバッファ１３７をさらに含むことができる。
【００３８】
以下、図５を参照に、図４に図示されたＣＰＵ１３６で遂行される回線切替フローチャートを説明することにする。
【００３９】
まず、最初の電源がつくと、リダンダンシー用メディア変換器１３０のＣＰＵ１３６は初期状態に変換するのだが、初期状態でＣＰＵ１３６はマスターチャンネルを第１チャンネルに設定（２００段階）する。初期化状態でマスターチャンネルを第１チャンネルに設定したＣＰＵ１３６は、以後アラーム発生有無をチェック（２１０段階）する。アラーム発生有無は、マスターとスレイブのＬＤ１３１，１４３，マスターとスレイブのＰＤ１３３，１４１状態をリードすることによってチェックすることができる。本発明の実施例では、下記の表１に図示したようにマスターあるいはスレイブのＬＤ１３１およびＰＤ１３３が正常である場合を除いては、アラーム状態であるものとする。下記の表１で“０”はフォールト（fault）あるいはディスエーブルを示したもので、“１”はアクティブあるいはインエーブルを示したものである。
【００４０】
【表１】
2005057722.tif 000003
【００４１】
２１０段階のアラーム状態チェックの結果がアラーム状態なら、今後の管理のためにその状態を内部メモリーに記録（２２０段階）した後、継続的にシステムの状態をモニターする。
【００４２】
もし、アラーム状態でないのなら、ＣＰＵ１３６は２００段階で設定された第１チャンネルを現在のチャンネルに転換（２３０段階）する。そして、ＣＰＵ１３６は現在の状態を維持しながらエラーイベントが発生するかを検査（２４０段階）する。アラーム状態でなく、かつ現在のチャンネルにエラーイベントが発生したらチャンネルを変えなければならないのだが、これが反射によるリンクエラーであるのか、でなければシステムエラーであるのか確認する過程が必要である。参考的に、回線切替が垂直段面形態に切断されると、切り替えられた部分で反射が発生して伝送信号が自分に戻ってきて、結果的に切替を認識することができない場合が発生する。このような反射によるエラーを確認する必要がある。
【００４３】
そこで、ＣＰＵ１３６はエラーが発生すると、そのエラーがシステムエラーであるのかを判断（２５０段階）する。（遠隔地で送るパイロットパケットが伝送されない場合、つまり一定時間内（調節可能）にパイロットパケットが受信されなければならない）もし、システムエラーでなければ、ＣＰＵ１３６は２９０段階に進行してリダンダンシーを“オン”させる。つまり、現在のチャンネルであるマスターをディスエーブルさせ、予備チャンネルであるスレイブをインエーブルさせた後２１０段階に戻る。
【００４４】
反面、システムエラーが発生されたなら、ＣＰＵ１３６はそのエラーが反射によるエラーであるかを判断するために現在のチャンネルのＬＤ，つまりマスターチャンネルのＬＤ１３１をディスエーブルさせた後（２６０段階）、現在のチャンネルのＰＤが“リンクオン”されるかを検査（２７０段階）する。検査結果、現在のチャンネルのＰＤリンクがオンされるなら反射によるエラーでないため、２９０段階に進みリダンダンシーを“オン”させる。しかし、現在のチャンネルのＰＤリンクが“オン”されないなら２４０段階で発生したエラーが反射によるエラーを示すものなので、現在のチャンネルが反射発生事実を外部装置に通報（２８０段階）する。そして、ＣＰＵ１３６は２９０段階に進みリダンダンシーを“オン”させて２１０段階に戻る。
【００４５】
以上のようなＣＰＵ１３６の回線切替検出とその検出結果に従い予備チャンネルのリダンダンシーを“オン”すると、正常状態では中央基地局ＣＯと各地域基地局たちがマスターチャンネルを介して光伝送を正常的に遂行することができる。もし、回線切替などの障害が発生すると、各地域基地局のリダンダンシーメディア変換器１３０内のＣＰＵ１３６がこれを検出してリダンダンシーを“オン”させることによって、中央基地局ＣＯと該当地域基地局はマスターチャンネルではないスレイブチャンネルを介して正常的に光伝送を遂行することができるようになるのである。
【００４６】
一方、ネットワーク構造でノードに優先順位を与えることのできる技術は重要であるといえる。すべてのノードをリダンダンシーで構成しようとすると、費用および機能面で非経済的な現象を招く。一般的にリダンダンシー機能を有するネットワーク構成費用は、リダンダンシー機能を有しないネットワークに比べ２倍の費用が所要されるという。
【００４７】
従って、３ポート光分岐/結合素子を利用して４ポート光分岐/結合器とともに使用するハイブリッド形態の網を構成することもできる。重要なノードの場合は、復旧機能を有する両方向光分岐/結合器（４ポート）を利用してノードを構成することによって、より効果的な網を構成することができる。このような網の例が図６に図示されている。
【００４８】
図６は、本発明の実施例によるまた別の上下向同一波長のリング型ＷＤＭ  ＰＯＮシステムの構成図を示したものである。図６を参照してみると、中央基地局側では３ｄＢ光カップラーを介して光パワーを両経路に分配伝送している。そして、リングタイプの分配網には４ポート光分岐/結合器（add/drop）と３ポート光分岐/結合器が混合されているのだが、相対的に重要度の低い一般ノードに対しては３ポート光分岐/結合器を採用した場合である。このような網でも、４ポート光分岐/結合器は回線切替の状態によって光経路を時計回りあるいは反時計回り方向に可変して光伝送を遂行することができる。
【００４９】
また別の実施例として、３ポート光分岐/結合器を利用した上下向同一波長のバス型ネットワーク構造と、４ポート光分岐/結合器を利用したリング型ネットワーク構造とを併せた形態にシステムを構成することもできる。このようなシステムでも、重要なノードは４ポート光分岐/結合器を利用して回線不能時に復旧が可能であり、相対的に重要度の低いノードに対しては３ポート光分岐/結合器を使用すれば、それだけシステム構築費用を節減することができる。
【図面の簡単な説明】
【００５０】
【図１】上下向同一波長のリング型ＷＤＭ  ＰＯＮシステムの構成図である。
【図２】本発明の実施例による上下向同一波長のリング型ＷＤＭ  ＰＯＮシステムの構成図である。
【図３】図２の中４ポート光分岐/結合器１２０の構成図である。
【図４】図２の中リダンダンシーのための切替型メディア変換器１３０の詳細な構成図である。
【図５】図４に図示したＣＰＵ１３６で遂行される回線切替のフローチャートである。
【図６】本発明の実施例によるまた別の上下向同一波長のリング型ＷＤＭ  ＰＯＮシステムの構成図である。
【図１】
2005057722.tif 000004
【図２】
2005057722.tif 000005
【図３】
2005057722.tif 000006
【図４】
2005057722.tif 000007
【図５】
2005057722.tif 000008
【図６】
2005057722.tif 000009